(57)【要約】【課題】  優れた脱臭性と地球環境性とを兼ね備え、かつ低コストの脱臭性竹炭器を提供すること。【解決手段】  節１１を有する竹筒を炭化してなる、底部２２を有する脱臭性竹炭器１であって、該脱臭性竹炭器１は、その内壁２に液洩れ防止用の目止め材４が施してある。上記目止め材４は炭粉と粘着物との混合物を用いてなること、上記炭粉は粉径０．１〜２ｍｍであること、上記脱臭性竹炭器１の外壁３には多数の亀裂３１を有していることが好ましい。【選択図】  図１
2005027964.tif 000002
【特許請求の範囲】
【請求項１】
竹筒を炭化してなる、底部を有する脱臭性竹炭器であって、
該脱臭性竹炭器は、その内壁に液洩れ防止用の目止め材が施してあることを特徴とする脱臭性竹炭器。
【請求項２】
請求項１において、上記目止め材は炭粉及び金属粉の少なくとも一方からなる充填用粉末と粘着物との混合物を用いてなることを特徴とする脱臭性竹炭器。
【請求項３】
請求項２において、上記充填用粉末は粉径０．１〜２ｍｍであることを特徴とする脱臭性竹炭器。
【請求項４】
請求項２又は３のいずれか１項において、上記粘着物は蜜ろう、漆、柿渋の少なくとも１種であることを特徴とする脱臭性竹炭器。
【請求項５】
請求項１〜４のいずれか１項において、上記脱臭性竹炭器はその外壁に意匠模様が施されていることを特徴とする脱臭性竹炭器。
【請求項６】
請求項１〜５のいずれか１項において、上記脱臭性竹炭器の外壁には多数の亀裂を有していることを特徴とする脱臭性竹炭器。
【請求項７】
請求項６において、上記の亀裂は幅０．５〜２ｍｍ、長さ１０〜５０ｍｍであることを特徴とする脱臭性竹炭器。
【発明の詳細な説明】
【技術分野】
【０００１】
本発明は、優れた脱臭性と地球環境性とを有し、低コストの脱臭性竹炭器に関する。
【背景技術】
【０００２】
従来、自動車室内、作業室、臭気発生室、居住室などにおいて、臭気を除去するためには、種々の脱臭剤が使用されている。
そして、従来の脱臭剤としては、例えば気化させることによって臭気成分と化学的に反応させる気化反応型のものがある。
【発明の開示】
【発明が解決しようとする課題】
【０００３】
しかしながら、かかる気化反応型の脱臭剤は、大気中に臭気反応化学物質を放出するものであり、大気汚染のおそれがある。
【０００４】
また、シリカゲル等の多孔性物質と脱臭性成分とを組み合せて、脱臭剤とするものもあるが、使用後はゴミとして廃棄され、その廃棄物処理が必要となる。このように従来の脱臭剤は地球環境性に問題がある。
また、従来の脱臭剤は、上記いずれのものも、人造品であってその製造コストが高い。
【０００５】
本発明は、かかる従来の問題点に鑑み、優れた脱臭性と地球環境性とを兼ね備え、かつ低コストの脱臭性竹炭器を提供しようとするものである。
【課題を解決するための手段】
【０００６】
本発明は、竹筒を炭化してなる、底部を有する脱臭性竹炭器であって、
該脱臭性竹炭器は、その内壁に液洩れ防止用の目止め材が施してあることを特徴とする脱臭性竹炭器である（請求項１）。
【０００７】
本発明において、上記脱臭性竹炭器は、天然物である竹を原材料とし、この竹の全体を炭化したものである。そして、例えば竹の節の部分を底部としたり、或いは節は利用することなく筒の内部に底用部材を配置して、容器状とする。
上記底用部材としては、後記する目止め材と同様の材料、或いは板材と上記目止め材との併用物などがある。
【０００８】
また、脱臭性竹炭器は多孔質体であり、このものは例えばモウソウチクを素材とする場合約３００ｍ2／ｇという極めて大きな表面積を有し、例えばウバメガシを素材とする備長炭の約１２５ｍ2／ｇに比較して格段の比表面積を有する。また脱臭性竹炭器は細孔容積約０．４０ｍＬ／ｇで上記備長炭の０．１８ｍＬ／ｇに比較して約２倍の細孔容積を有している。
したがって、脱臭性竹炭器は、その外壁より臭気を効率良く吸収し、極めて優れた脱臭性能を発揮する。
【０００９】
また、本発明の脱臭性竹炭器は、その内壁に液洩れ防止用の目止め材を施してあるので、脱臭性竹炭器の内部に入れる水等の液体を洩出することがない。それ故、本発明の脱臭性竹炭器は生花用の花器、装身具等の小物入れ、盃、コップ等の容器として用いることができ、意匠性を向上させた脱臭剤としての効果も発揮する。
【００１０】
また、本発明の脱臭性竹炭器は、竹を原料として炭化したものであるため、脱臭剤としての使用後はそのまま畑等に捨てても地球汚染の問題がない。即ち、竹炭は、Ｋ、Ｃａ、Ｓｉを主成分とし、いずれも土中に存在する成分であるため、土中に容易に還元され、土壌改良剤としても有効である。
【００１１】
また、落葉等のたき火の中へ入れれば、炭火としても使用でき、その後は灰となる。それ故、地球汚染、環境汚染のおそれもなく地球環境性に優れている。
また、竹は、毎年竹の子（筍）として芽を出し、半年位で竹として成長するため、その繁殖力は極めて大きいが、現在ではその利用が殆んどなされず、毎年伐採して放置されているのが現実である。
【００１２】
また、脱臭性竹炭器を製造するに当っては、モウソウチク、マダケ、ハチクなどの竹の筒を例えば、土窯を用いて、約３〜７日間加熱燻蒸し、その後８００〜１０００℃で４〜６時間精煉することにより作製できる。そのため、その原料費、製造費も安く、抵コストである。
【００１３】
したがって、本発明によれば、優れた脱臭性と地球環境性及び意匠性に優れ、かつ低コストの脱臭性竹炭器を提供することができる。
【発明を実施するための最良の形態】
【００１４】
本発明にかかる脱臭性竹炭器は、生花や造花等を入れる花器、小物入れ等の容器などとして用いつつ、脱臭機能を発揮させることができる。
また、脱臭性竹炭器は、例えば底部を竹の節によって形成するが、この場合、底部用の節の他に１又は複数の節部分があることが好ましい。この場合には、脱臭性竹炭器の強度が向上する。上記底部以外の節部分の内板は、竹筒の状態のときに破砕して貫通穴としておく。
【００１５】
次に、上記目止め材は炭粉及び金属粉の少なくとも一方からなる充填用粉末と粘着物との混合物を用いてなることが好ましい（請求項２）。
【００１６】
この場合には、炭粉、金属粉等の充填用粉末が粘着物と共に脱臭性竹炭器の内壁の亀裂内にスムーズに入り込むと共に亀裂部を閉塞する。そのため、効果的なシールを施すことができる。上記目止め材は、脱臭性竹炭器の内壁全面又は水等の液体を入れる深さまで設けておくことが好ましい。
【００１７】
また、充填用粉末として金属粉を用いる場合には竹炭器の重量を増加させることができるので、脱臭性竹炭器に重量安定性を付与することができる。また、上記金属粉としては、鉄粉、アルミニウム粉などがある。
【００１８】
次に、上記充填用粉末は、粒径０．１〜２ｍｍのものが好ましい（請求項３）。０．１ｍｍ未満では、脱臭性竹炭器内壁の亀裂内部への充てん効果が少なく、一方２ｍｍを越えると亀裂へ入り難くなる。また、炭粉は竹炭を粉砕したものであることが好ましい。この場合には、脱臭性竹炭器の不良品等を粉砕して使用することができる。
【００１９】
次に、上記粘着物は蜜ろう、漆、柿渋の少なくとも１種であることが好ましい（請求項４）。
【００２０】
この場合には、上記粘着物が炭粉等の充填用粉末と共に亀裂内に円滑に入って、その後硬化するので、効率的に目止めを行なうことができる。また、目止め材用の粘着物として天然物を用いるので、上記のごとく脱臭性竹炭器を畑に捨てたり、たき火の中へ入れても、害が無く安全である。
なお、上記の蜜ろうは、ミツバチの巣の主成分をなしているろうであり、柿渋は柿から採取したシブ成分である。
【００２１】
次に、上記脱臭性竹炭器はその外壁に意匠模様が施されていることが好ましい（請求項５）。
【００２２】
この場合には、脱臭性竹炭器の意匠性が一層向上する。上記の意匠模様は、彫刻、漆塗料、水性塗料などの各種塗料による一部分の塗料色彩などにより行なう。
【００２３】
次に、上記脱臭性竹炭器の外壁には多数の亀裂を有していることが好ましい（請求項６）。
この場合には、上記亀裂が大気と脱臭性竹炭器の外壁との間の接触面積を増大させるので、脱臭性効果がより向上する。
また、上記の亀裂は、幅０．５〜２ｍｍ、長さ１０〜５０ｍｍであることが好ましい（請求項７）。この場合には、強度を保持しつつ、優れた脱臭機能を発揮する。
【実施例】
【００２４】
（実施例）
本発明の実施例にかかる脱臭性竹炭器につき図１〜図４を用いて説明する。
本例の脱臭性竹炭器１は、図４に示すごとく、その内部に花５を生けることができる脱臭性花器として用いるものである。
【００２５】
本例の脱臭性花器は、図１及び図２に示すごとく、節１１を有する竹筒を炭化してなる、底部２２を有する脱臭性竹炭器１であって、該脱臭性竹炭器１は、その内壁に液洩れ防止用の目止め材４が施してある。目止め材４は、上記底部２２の内側と、内壁２に施してある。
【００２６】
なお、目止め材４は、脱臭性竹炭器１の内壁２の上端部２８には施してない。また、脱臭性竹炭器の上端、下端、底部２２の下方の内壁及び外壁３には、目止め材４は施してない。
上記目止め材４は、内壁２の亀裂２１を埋めている。また、節１１の内板２２０は、周縁部分を除いて予め除去してある。
【００２７】
上記目止め材は炭粉と粘着物との混合物を用いてなる。上記混合物は、粒径０．１〜２ｍｍの竹炭粉砕粉末１重量部と液状の柿渋２重量部とを混練したものを用い、これを脱臭性竹炭器１の内壁２に塗布し、乾燥、固化させた。上記混合物は、上記内壁２の亀裂の内部にも充填されている。
また、上記脱臭性竹炭器１の外壁３には多数の亀裂３１を有している。
【００２８】
上記の亀裂３１は、脱臭性竹炭器１の外壁３に、該脱臭性竹炭器１の軸方向に沿って多数形成されている（図３）。この外壁３の亀裂３１には目止め材は施されず、大気に露出させて大気との接触面積を増大させてある。これらの亀裂３１は、その多くが幅０．５〜２ｍｍ、長さ１０〜５０ｍｍであった。
【００２９】
また、上記脱臭性竹炭器は、直径８ｃｍのモウソウチクを、節１１を２個残して切断し、これを土窯にて約７日間加熱、燻蒸し、その後８００〜１０００℃で５時間精煉して作製したものである。なお、上記２つの節のうち、下部のものはそのまま底部１２に利用し、上方の節１１の内板２２０は炭化処理前に予め切除した（図１参照）。
【００３０】
次に、本例の作用効果につき説明する。
上記脱臭性竹炭器１は、天然物である竹（モウソウチク）を原材料とし、この竹の全体を炭化したものである。そして、竹の節の部分が底部となり、容器状を呈する。
また、脱臭性竹炭器１は多孔質体であり、このものは例えば約３００ｍ2／ｇという極めて大きな比表面積を有すると共に、細孔容積も約０．４０ｍＬ／ｇと大きい。
【００３１】
したがって、本例の脱臭性竹炭器１は、その外壁より臭気を効率良く吸収し、極めて優れた脱臭性能を発揮する。
【００３２】
また、本例の脱臭性竹炭器１は、その内壁２及び内壁２における亀裂２１内に液洩れ防止用の目止め材４を施してあるので、脱臭性竹炭器１の内部に入れる水等の液体を洩出することがない。それ故、脱臭性竹炭器１は生花用の花器等として用いることができ、意匠性を向上させた脱臭剤としての効果も発揮する。
【００３３】
また、脱臭性竹炭器１は、竹を原料として炭化したものであるため、脱臭剤としての使用後はそのまま畑等に捨てても、容易に土壌中に還元され、地球汚染の問題がない。また、落葉等のたき火の中へ入れれば、炭火としても使用でき、その後は灰となる。それ故、地球汚染、環境汚染のおそれもなく地球環境性に優れている。
【００３４】
また、竹は、毎年筍として芽を出し、半年位で竹として成長するため、その繁殖力は極めて大きいが、現在ではその利用が殆んどなされず、毎年伐採して放置されているのが現実である。
しかし、このように脱臭性竹炭器１として活用すれば、その原料費、製造費も安く、抵コストであり、また自然環境の保護にも貢献できる。
【００３５】
また、目止め材４として、上記炭粉と粘着物としての柿渋との混合物を用いているので、上記粘着物が炭粉と共に亀裂２１内に円滑に入って、その後硬化する。そのため、効率的に目止めを行なうことができる。また、目止め材用の粘着物として天然物を用いるので、上記のごとく脱臭性竹炭器を畑に捨てたり、たき火の中へ入れても、害が無く安全である。
【００３６】
次に、上記脱臭性竹炭器１の外壁３には、上記のように多数の亀裂３１を有している。
そのため、上記亀裂３１が大気と脱臭性竹炭器外壁１との間の接触面積を増大させ、脱臭性効果がより高い。
【００３７】
したがって、本例によれば、優れた脱臭性と地球環境性及び意匠性に優れ、かつ低コストの脱臭性竹炭器を提供することができる。
【００３８】
なお、上記においては、脱臭性竹炭器の底部２２は、竹の節を利用しているが、竹の節を利用することなく、貫通した竹炭筒の下方を閉塞するように底用部材を設けてもよい。
このような底用部材としては、上記した目止め材を固めた板状物がある。また、底用部材中に上記目止め材について説明した金属粉を混合する場合には竹炭器の安定性が向上する。
【００３９】
また、外壁３においては、例えば亀裂が深い部分など水洩れのおそれがある部分には、必要に応じて、目止め材を施すことができる。
【図面の簡単な説明】
【００４０】
【図１】実施例における、脱臭性竹炭器の断面図。
【図２】実施例における、脱臭性竹炭器の斜視図。
【図３】実施例における、脱臭性竹炭器の外壁一部拡大図。
【図４】実施例における、脱臭性竹炭器としての花器の使用状態を示す説明図。
【符号の説明】
【００４１】
１  脱臭性竹炭器
１１  節
２  内壁
２１  内壁の亀裂
２２  底部
３  外壁
３１  外壁の亀裂
４  目止め材
【図１】
2005027964.tif 000003
【図２】
2005027964.tif 000004
【図３】
2005027964.tif 000005
【図４】
2005027964.tif 000006